(57)【特許請求の範囲】
【請求項１】
支持部材と、この支持部材により所定方向に沿ってスライド可能に支持されたスライド部材と、このスライド部材を支持部材に対して複数の位置に段階的に保持し得る保持手段と、このスライド部材の支持部材に対する抜け止めを行う抜け止め手段とを具備するものであって、
前記保持手段が、前記所定方向に沿ってスライド部材と支持部材とに形成される相向かい合う対向面のうち、互いに略がたなく面接触させた対向面の一方に間欠的に設けた複数の凹部と、他方の対向面を形成する部材側に突没可能に設けられ、突出して前記凹部に係り合うことの可能な爪部とを具備するものであり、
前記抜け止め手段が、爪部を支持する支持体を利用して構成され、前記保持手段の設けられた対向面以外の相向かい合う対向面間に設けられたものであることを特徴とするスライド支持装置。
【請求項２】
支持部材又はスライド部材のいずれか一方の部材に、中間部を回動可能に支持させた伝達アームを設け、この伝達アームの一端部を操作部により動かし、この動きに応じて動く他端部により、爪部を突没させるように構成したものであって、
抜け止め手段が、他方の部材に設けた規制面と支持体たる前記伝達アームの回動支軸とを具備し、この規制面に前記回動支軸を当ててスライド部材の支持部材に対する抜け止めを行うものである請求項１記載のスライド支持装置。
【請求項３】
一方の部材を中空パイプ状のものとし、その内部に伝達アームを挿入している請求項２記載のスライド支持装置。
【請求項４】
支持部材又はスライド部材のいずれか一方の部材を、他方の部材に設けた嵌合穴に挿入するようにしたものであって、
この他方の部材を、前記嵌合穴の内面にスペーサ部材を固定してなるものとし、このスペーサ部材の内周の一面に凹部を形成し、この凹部を形成した面に、一方の部材の外周の一面を面接触させるように構成している請求項１、２又は３記載のスライド支持装置。
【請求項５】
支持部材又はスライド部材のいずれか一方の部材を、他方の部材に設けられた嵌合穴に挿入するようにしたものであって、
この他方の部材を、前記嵌合穴の内面にスペーサ部材を固定してなるものとし、このスペーサ部材の内周の一面に凹部を形成し、この凹部を形成した面に一方の部材の外周の一面を面接触させるように構成するとともに、
前記スペーサ部材を、前記所定方向に沿って二分できる筒状のものとし、二分した一方の半割体の分割面に切り欠きを設け、この切り欠きの端部に規制面を形成している請求項１、２又は３記載のスライド支持装置。
【請求項６】
支持部材と、この支持部材により所定方向に沿ってスライド可能に支持されたスライド部材と、このスライド部材を支持部材に対して複数の位置に段階的に保持し得る保持手段と、このスライド部材の支持部材に対する抜け止めを行う抜け止め手段とを具備するものであって、
前記保持手段が、前記所定方向に沿ってスライド部材と支持部材とに形成される相向かい合う対向面のうち、互いに略がたなく面接触させた対向面の一方に間欠的に設けた複数の凹部と、他方の対向面を形成する部材側に突没可能に設けられ、突出して前記凹部に係り合うことの可能な爪部とを具備するものであり、
前記抜け止め手段が、前記保持手段の設けられた対向面以外の相向かい合う対向面間に設けられたものであるとともに、
支持部材又はスライド部材のいずれか一方の部材を、他方の部材に設けられた嵌合穴に挿入するようにしたものであって、
この他方の部材を、前記嵌合穴の内面にスペーサ部材を固定してなるものとし、このスペーサ部材の内周の一面に凹部を形成し、この凹部を形成した面に一方の部材の外周の一面を面接触させるように構成するとともに、
前記スペーサ部材を、前記所定方向に沿って二分できる筒状のものとし、二分した一方の半割体の分割面に切り欠きを設け、この切り欠きの端部に規制面を形成し、この規制面を利用して前記抜け止め手段を構成していることを特徴とするスライド支持装置。
【請求項７】
嵌合穴の内面を、その開口方向に向かうにつれ徐々に断面積が大きくなるように傾斜させるとともに、この嵌合穴の内面に固定したスペーサ部材の内面を、前記所定方向と平行をなすように構成している請求項４、５又は６記載のスライド支持装置。
【請求項８】
椅子の肘当てを昇降させる場合に用いられるものであって、
支持部材が、椅子を構成する座に固定された上下に延びるものであり、
スライド部材が、その上端部において肘当てを支持するものである請求項１、２、３、４、５、６又は７記載のスライド支持装置。
【請求項９】
中空パイプ状にした一方の部材の断面形状が正方形状のものである請求項３記載のスライド支持装置。
【発明の詳細な説明】
【０００１】
【発明の属する技術分野】
本発明は、支持部材と、この支持部材により所定方向に沿ってスライド自在に支持されたスライド部材と、このスライド部材を支持部材に対して複数の位置に段階的に保持する保持手段と、この保持手段を操作するための操作部とを具備するスライド支持装置に関する。
【０００２】
【従来の技術】
従来、このようなスライド支持装置を、例えば椅子に適用して、その肘当てを昇降させるように構成したものが知られている。このものは、支持部材を座から上方に突出させ、上端に肘当てを設けたスライド部材を、この支持部材に支持させるようにしている。そして、スライド部材に、突没可能に構成した爪部を設ける一方、支持部材に複数の凹部を設けておき、この爪部を前記係り突出させていずれかの凹部に係り合わせることにより、肘当ての高さを段階的に調節できるようにしている。
【０００３】
【発明が解決しようとする課題】
ところで、従来のものは、この肘当ての昇降範囲を一定範囲に規制するとともに、スライド部材の抜け止めを防止する抜け止め手段をさらに設けている。この抜け止め手段は、爪部にその機能の一部を担わせるようにしたもので、支持部材において凹部を設けてある面の上方に規制部を突出させ、この規制部に没入位置にある爪部が当たるように構成してなる。
【０００４】
ところが、このようにすると、スライド部材における爪部を設けてある面と、支持部材における凹部を設けてある面とを面接触させることができない。すなわち、爪部は、没入位置にあって規制部に当たるわけであるから、この爪部を、没入位置においても、自身の設けられた面よりも必ず支持部材側に突出させざるを得ず、その突出スペース分、スライド部材における爪部を設けてある面と、支持部材における凹部を設けてある面とを離間させなければならないこととなる。
【０００５】
そのため、従来のものは、支持部材とスライド部材とのスライド移動を担保するためのスライド面を、これら爪部や凹部、あるいは規制部を設けてある領域のさらに上方に設けていた。
しかしながら、このような構成であると、スライド面の領域を十分にとれないため、肘当ての昇降にがたが生じたり、あるいは肘当ての昇降範囲を大きくできなかったりするという不具合が生じ得る。
【０００６】
【課題を解決するための手段】
本発明は、このような点に鑑み、抜け止め機能の一部を、保持手段を構成する爪部に担わせるという従来の発想を完全に捨て去ることによってなしえたものであって、スライド部材及び支持部材に設けた互いに面接触する対向面間に、前記保持手段を形成するとともに、この保持手段の設けられた対向面以外の対向面間に抜け止め手段を設けたものである。
【０００７】
【発明の実施の形態】
すなわち、本発明に係るスライド支持装置は、支持部材と、この支持部材により所定方向に沿ってスライド可能に支持されたスライド部材と、このスライド部材を支持部材に対して複数の位置に段階的に保持し得る保持手段と、このスライド部材の支持部材に対する抜け止めを行う抜け止め手段とを具備するものであって、前記保持手段が、前記所定方向に沿ってスライド部材と支持部材とに形成される相向かい合う対向面のうち、互いに略がたなく面接触させた対向面の一方に間欠的に設けた複数の凹部と、他方の対向面を形成する部材側に突没可能に設けられ、突出して前記凹部に係り合うことの可能な爪部とを具備するものであり、前記抜け止め手段が、爪部を支持する支持体を利用して構成され、前記保持手段の設けられた対向面以外の相向かい合う対向面間に設けられたものであることを特徴とする。
【０００８】
このようなものであれば、スライド部材を複数に位置変更可能に保持する保持手段を設けてある領域において、互いの部材の対向面同士を互いに面接触させているので、これら接触面の前記所定方向に沿った長さ寸法を十分に確保でき、スライド部材をがたなく円滑にスライド動作させることができるようになる。またこれら対向面を面接触させてその間にスペースを形成していないことから、装置自体のスリム化を図ることができる。加えて、爪部の突没移動距離も、スペースの無い分小さくすることができ、構造のコンパクト化や動作の確実性を向上させることができる。
【０００９】
さらに、前記抜け止め手段が、爪部を支持する支持体を利用して構成されているので、抜け止め手段を簡単な構造で実現することができる。
前記抜け止め手段が、爪部を支持する支持体を利用して構成されている具体的な構成としては、支持部材又はスライド部材のいずれか一方の部材に、中間部を回動可能に支持させた伝達アームを設け、この伝達アームの一端部を操作部により動かし、この動きに応じて動く他端部により、爪部を突没させるように構成したものであって、抜け止め手段が、他方の部材に設けた規制面と支持体たる前記伝達アームの回動支軸とを具備し、この規制面に前記回動支軸を当ててスライド部材の支持部材に対する抜け止めを行うものを挙げることができる。
【００１０】
装置のスリム化をより促進するには、一方の部材を中空パイプ状のものとし、その内部に伝達アームを挿入しているものが望ましい。より好ましくは、中空パイプ状にした一方の部材の断面形状が正方形状のものを挙げることができる。
スライド移動をより円滑に行わせるとともに、製造の簡単化等を図るには、支持部材又はスライド部材のいずれか一方の部材を、他方の部材に設けた嵌合穴に挿入するようにしたものであって、この他方の部材を、前記嵌合穴の内面にスペーサ部材を固定してなるものとし、このスペーサ部材の内周の一面に凹部を形成し、この凹部を形成した面に、一方の部材の外周の一面を面接触させるように構成しているものが好適である。
【００１１】
特に組立工程を容易化する具体的な態様としては、前記スペーサ部材を、前記所定方向に沿って二分できる筒状のものとし、二分した一方の半割体の分割面に切り欠きを設け、この切り欠きの端部に規制面を形成しているものを挙げることができる。
また、本発明の他の実施態様として、支持部材と、この支持部材により所定方向に沿ってスライド可能に支持されたスライド部材と、このスライド部材を支持部材に対して複数の位置に段階的に保持し得る保持手段と、このスライド部材の支持部材に対する抜け止めを行う抜け止め手段とを具備するものであって、前記保持手段が、前記所定方向に沿ってスライド部材と支持部材とに形成される相向かい合う対向面のうち、互いに略がたなく面接触させた対向面の一方に間欠的に設けた複数の凹部と、他方の対向面を形成する部材側に突没可能に設けられ、突出して前記凹部に係り合うことの可能な爪部とを具備するものであり、前記抜け止め手段が、前記保持手段の設けられた対向面以外の相向かい合う対向面間に設けられたものであるとともに、支持部材又はスライド部材のいずれか一方の部材を、他方の部材に設けられた嵌合穴に挿入するようにしたものであって、この他方の部材を、前記嵌合穴の内面にスペーサ部材を固定してなるものとし、このスペーサ部材の内周の一面に凹部を形成し、この凹部を形成した面に一方の部材の外周の一面を面接触させるように構成するとともに、前記スペーサ部材を、前記所定方向に沿って二分できる筒状のものとし、二分した一方の半割体の分割面に切り欠きを設け、この切り欠きの端部に規制面を形成し、この規制面を利用して前記抜け止め手段を構成していることを特徴とするものが挙げられる。
このようなものであっても、スライド部材をがたなく円滑にスライド動作させることができるようにするとともに、構造のコンパクト化や動作の確実性の向上を図ることができるようにするための構成を、組立工程を容易化しつつ実現できる。
型成形による製造を可能ならしめるとともに、嵌合穴にスペーサ部材をがたなく確実に取り付け得るようにし、さらにはスライド部材のスライド移動をがたなく行わせるようにする等の複合的な効果を一挙に得るには、嵌合穴の内面を、その開口方向に向かうにつれ徐々に断面積が大きくなるように傾斜させるとともに、この嵌合穴の内面に固定したスペーサ部材の内面を、前記所定方向と平行をなすように構成しているものが好ましい。
【００１２】
具体的な実施態様としては、椅子の肘当てを昇降させる場合に用いられるものであって、支持部材が、椅子を構成する座に固定された上下に延びるものであり、スライド部材が、その上端部において肘当てを支持するものを挙げることができる。
【００１３】
【実施例】
以下、本発明の一実施例を、図面を参照して説明する。
図１は、本実施例に係るスライド支持装置を適用した椅子１００を示している。
まずこの椅子１００について簡単に説明すると、この椅子１００は、同図に示すように、椅子本体１０１と、椅子本体１０１の左右側方に設けた肘掛け１０２とを具備している。
【００１４】
椅子本体１０１は、脚羽根１０９の中央から起立する支柱１０３に座１０４を支持させ、この座１０４の後方に背凭れ１０５を取り付けているものである。
肘掛け１０２は、図１〜図３に示すように、座１０４の左右両縁近傍から上方であってやや前向きに向けて突出して設けられ、後述するスライド支持装置の構成要素でもある支持部材１と、この支持部材１の上端部に台座１０７を介して水平旋回可能に取り付けた肘当て１０６とを具備するものである。
【００１５】
しかして、本実施例に係るスライド支持装置は、この肘当て１０６を昇降させるための昇降装置とも言うべきもので、前記支持部材１と、この支持部材１により所定方向たるその突出方向Ｄに沿ってスライド自在に支持されたスライド部材２と、このスライド部材２を支持部材１に対して複数の高さ位置に段階的に保持する保持手段３と、この保持手段３を操作するための操作部たる操作ボタン４とを具備する。
【００１６】
図３から図５を参照して詳述すれば、支持部材１は、型成形により製造されるもので、その上面に開口し、前記突出方向Ｄに沿って延びる嵌合穴１１と、この嵌合穴１１の内面１１ａに、皿ビスＢ等により、着脱可能に固定されたスペーサ部材９とを具備する。この嵌合穴１１は、前後方向に長い楕円の前後端部を、それぞれ直線で切った断面形状をなすもので、製造時において型を抜くために、内面１１ａに若干のテーパ傾斜をつけ、開口に向かうにつれ徐々にその断面積が大きくなるようにしてある。スペーサ部材９は、前半割体９１と後半割体９２とから構成される二分可能な筒状樹脂製のものであり、内周断面形状を、略正方形状として後述するスライド部材２の断面輪郭形状と一致させてある。そして、その外面９ｅを、嵌合穴内面１１ａのテーパ傾斜を打ち消すように、逆向きにテーパ傾斜させてある一方、その内面９ａ〜９ｄを前記突出方向Ｄと平行をなすように構成してある。
【００１７】
スライド部材２は、前記台座１０７の下面に溶接等により一体的に取付けられた断面正方形状をなす金属パイプ製のもので、その下端は開放してある。そして、このスライド部材２を、スペーサ部材９を取り付けた嵌合穴１１に挿入することにより、少なくともその前面２ａ及び後面２ｂが、前半割体９１の後向内面９ａ及び後半割体９２の前向内面９ｂとそれぞれ略がたなく面接触するように設定してある。ここで、スライド部材２の外面２ａ〜２ｄと、スペーサ部材９の内面９ａ〜９ｄとが、それぞれ対向面を形成する。なお、本実施例では、このスライド部材２の周囲を覆うとともに、前記支持部材１に外嵌する樹脂製のカバー体１０８を設け、外観の向上を図っている。
【００１８】
保持手段３は、スライド部材２の後面２ｂよりも後方に突出した突出位置Ｐ（図４参照）及び没入した没入位置Ｑ（図５参照）の間で移動可能に構成した爪部３１と、スペーサ部材９の前向内面９ｂに前記突出方向Ｄに沿って間欠的に複数設けられ、爪部３１に係り合うことの可能な矩形貫通孔状の凹部３２とを具備する。
【００１９】
操作ボタン４は、カバー体１０８の前面上端部から突出するように配置した押し込み可能なもので、スライド部材２の上端部前面に設けた挿入孔２１を貫通して、その後端がスライド部材２の内部にまで至るようにしてある。
しかして、これら操作ボタン４と爪部３１とは、上下に延びる伝達アーム８によって連動するように構成してある。このような構成としているのは、爪部３１をスライド部材２のなるべく下部に位置させて、肘当て１０６の昇降範囲を大きくとりつつ、操作ボタン４をなるべく肘当て１０６の近傍に位置させて、操作性を向上させるためである。詳述すれば、この伝達アーム８は、下端部のみがスライド部材２より下方に露出するように該スライド部材２内に挿入された金属製のもので、中間部をこのスライド部材２に、回動支軸たるピン７を介して回動可能に支持させてなる。そして、この露出した下端部に、後方に延びるように一体に屈曲させてなる片状の爪部３１を設けている。一方、伝達アーム８の上端部前面は、操作ボタン４の後端にあたるように構成してあり、操作ボタン４の押し込み操作により、爪部３１を後方、すなわち没入位置Ｑ方向に動かせるようにしている。なお、この伝達アーム８には、ばね等の弾性体Ｓによって、その下端部を後方に動かす向きの力を付与しており、何ら外力の作用しない状態では、爪部３１が突出位置Ｐ方向に動こうとするように設定してある。
【００２０】
さらに本実施例では、スライド部材２の支持部材１に対する抜け止めを行う抜け止め手段６を設けている。この抜け止め手段６は、前記ピン７の各端部をそれぞれスライド部材２の外側面２ｃ、２ｄより外側へ突出させ、これら突出部分を、スペーサ部材９の対向する内側面９ｃ、９ｄにそれぞれ設けた規制面６ａに当てるように構成したものである。具体的に、この規制面６ａは、後半割体９２の側壁９２１を、分割面９２ａから一部切り欠き、この切り欠き９２２の上端部に形成される下向面である。また、本実施例では、この切り欠き９２２の下端部に形成される上向面６ｂが、ピン７に当たってスライド部材２の挿入終端を規定する。なお、この切り欠き９２２は、側壁９２１を厚み方向に貫通するものではなく、厚みの内半分のみに形成してある。
【００２１】
しかして、組立時においては、スライド部材２に伝達アーム８をピン７によって組みつけた状態で、スペーサ部材９たる後半割体９２及び前半割体９１を外側から被せ着け、その後、スペーサ部材９をスライド部材２ごと嵌合穴１１に挿入する。
このような構成のスライド支持装置は、以下のように取り扱う。
【００２２】
まず、肘当て１０６を昇降させたい場合には、操作ボタン４を押す。このことにより、伝達アーム８は、弾性体Ｓの弾性力に逆らってその上端部が後方に、またその下端部が前方に移動し、この下端部に取り付けられた爪部３１は、スライド部材２の後面２ｂよりも没入した没入位置Ｑに位置する。しかして、この状態（図５参照）では、爪部３１はいずれの部材にも干渉せず、スライド部材２を自在にスライドさせ、肘当て１０６を昇降させることができる。ただし、スライド部材２は、前記ピン７がスペーサ部材９に設けた上向き又は下向きの規制面６ｂ、６ａに当たるため、そのスライド範囲は、上下所定範囲に規制され、抜けも防止される。
【００２３】
一方、肘当て１０６が所望の高さになれば、操作ボタン４を離すことで、弾性体Ｓの復帰力により、伝達アーム８の上端部は前方に、また下端部は後方に移動し、爪部３１が突出位置Ｐに移動する。そして、対応する凹部３２に係り合って、肘当て１０６はその高さに保持されることとなる（図４参照）。
以上のように構成した本実施例に係るスライド支持装置は、保持手段３を構成する爪部３１に抜け止め機能を付与しないことによって、保持手段３の配置部位と、抜け止め手段６の配置部位とを異ならせ、凹部３１を設けてあるスペーサ部材９の前向内面９ｂとスライド部材２の後面２ｂとを面接触できるように構成したものである。したがって、これら接触摺動面９ｂ、２ｂの突出方向Ｄに沿った長さ寸法を十分に確保でき、スライド部材２をがたなく円滑にスライド動作させることができるようになる。また、スライド範囲を大きく設定することも無理なく行えるようになる。
【００２４】
さらに、凹部３１を設けてある前向内面９ｂとスライド部材２の後面２ｂとが密接していることから、爪部３１の突没移動距離を小さく設定することができ、伝達アーム８の回動範囲を小さく設定できる。したがって、スライド部材２の内径を小さく設定でき、そのスリム化を促進できる。その結果、他の部材の配置位置やデザインの設計自由度が増すといった種々の効果を得ることができる。
【００２５】
また、伝達アーム８を支持するピン７を利用して、抜け止め手段６を構成しているので、その構造が複雑化したり部品点数が増えることもない。さらに、スペーサ部材９を二分可能なものとし、後半割体９２の半割面９２ａに切り欠き９２２を設けて規制面６ａ、６ｂを形成しているので、上述したように、スライド部材２に伝達アーム８をピン７によって組みつけた状態で、スペーサ部材９を外側から取り付けることができる。したがって、ピン７を最後に入れるような構成のものと比べて、その組立工程を格段に容易化できる。特に本実施例では、スライド部材２の外周とスペーサ部材９の内周との横断面形状を矩形状（正方形状）にしているので、円形にした場合と比べ、互いの位置決めが容易となり、組立の簡単化により寄与し得る。また、後半割体９２と前半割体９１とを合わせることにより、同時にピン７の抜け防止も図れる。
【００２６】
さらに本実施例では、金属であるスライド部材２の外面２ａ〜２ｄが、樹脂製のスペーサ部材９の内面９ａ〜９ｄに摺動するので、スライド円滑性をより向上させ、異音の発生防止や製品寿命の増大にも寄与し得る。また、保持手段３を構成する凹部３２も、加工容易なこのスペーサ部材９に設けることで、装置全体としての製造を容易化できる。
【００２７】
一方、支持部材１を型成形で製造する場合には、嵌合穴１１に型抜きのためのテーパ傾斜をつけざるを得ないが、この実施例では、スペーサ部材９により、テーパ傾斜をキャンセルし、その内面９ａ〜９ｄを、スライド方向Ｄと平行をなすように構成して、確実に面接触が営まれるようにしているので、スライド部材２のスライド移動における円滑性をより高め、使用者に安心感や高級感を与えることができる。
【００２８】
なお、本発明は上記実施例に限られるものではない。例えば、図６に示すように、伝達アーム８をスライド部材２内に完全に没入させ、爪部３１をスライド部材２に設けた貫通孔２０から突出させるようにしてもよい。このようにすれば、スライド部材２をより長くでき、スライド円滑性やスライド範囲の増大化をさらに促進させることが可能になる。
【００２９】
また、上記実施例では、支持部材にスライド部材を挿入していたが、スライド部材に支持部材を挿入するような構成としてもよいのはもちろんである。この場合には、支持部材及びスライド部材に取り付けるべき伝達アームやスペーサ部材を設ける部位を、上記実施例と逆の構成にすればよい。
さらに、スペーサ部材を半割できるものとせず、例えば図７に示すように、スライド部材２の一面を一部開放して装着されるような断面概略Ｃ字型のものとしてもよい。
【００３０】
加えて、このスライド支持装置は、肘当ての昇降のみならず、その他種々の部材連結部分に用いることができる。
その他各部の具体的な構成は、上述した実施例に限定されるものではなく、本発明の趣旨を逸脱しない範囲で種々変形が可能である。
【００３１】
【発明の効果】
以上に詳述したように、本発明に係るスライド支持装置は、保持手段を構成する爪部に抜け止め機能を付与しないことによって、保持手段の設定部位と、抜け止め手段の設定部位とを異ならせ、凹部を設けてあるスペーサ部材の前向内面とスライド部材の後面とを面接触できるように構成したものである。したがって、これら接触摺動面の突出方向に沿った長さ寸法を十分に確保でき、スライド部材をがたなく円滑にスライド動作させることができるようになる。また、スライド範囲を大きく設定することも無理なく行えるようになる。
【００３２】
さらに、抜け止め手段が、爪部を支持する支持体を利用して構成されているので、部品点数の増大を招くことなく、この抜け止め手段を簡単な構造で実現することができる。
具体的に、支持部材又はスライド部材のいずれか一方の部材に、中間部を回動可能に支持させた伝達アームを設け、この伝達アームの一端部を操作部により動かし、この動きに応じて動く他端部により、爪部を突没させるように構成したものであって、抜け止め手段が、他方の部材に設けた規制面と支持体たる前記伝達アームの回動支軸とを具備し、この規制面に前記回動支軸を当ててスライド部材の支持部材に対する抜け止めを行うものであれば、操作部を自在な位置に設定しつつ、十分なスライド移動領域を確保できる。
【００３３】
一方の部材を中空パイプ状のものとし、その内部に伝達アームを挿入したものであれば、装置のスリム化を特に促進することができる。
支持部材又はスライド部材のいずれか一方の部材を、他方の部材に設けた嵌合穴に挿入するようにしたものであって、この他方の部材を、前記嵌合穴の内面にスペーサ部材を固定してなるものとし、このスペーサ部材の内周の一面に凹部を形成し、この凹部を形成した面に、一方の部材の外周の一面を面接触させるように構成しているものであれば、スライド移動をより円滑に行わせるとともに、製造の簡単化等を図ることができる。
【００３４】
前記スペーサ部材を、前記所定方向に沿って二分できる筒状のものとし、二分した一方の半割体の分割面に切り欠きを設け、この切り欠きの端部に規制面を形成しているものであれば、スライド部材に伝達アームをピンによって組みつけた状態で、スペーサ部材を外側から取り付けることができる。したがって、ピンを最後に入れるような構成のものと比べて、その組立工程を格段に容易化できる。
【００３５】
嵌合穴の内面を、その開口方向に向かうにつれ徐々に断面積が大きくなるように傾斜させるとともに、この嵌合穴の内面に固定したスペーサ部材の内面を、前記所定方向と平行をなすように構成しているものであれば、型成形による製造を可能ならしめるとともに、嵌合穴にスペーサ部材をがたなく確実に取り付け得るようにし、さらにはスライド部材のスライド移動をがたなく行わせるようにするといった複合的な効果を一挙に得ることができる。
【００３６】
椅子の肘当てを昇降させる場合に用いられるものであって、支持部材が、椅子を構成する座に固定された上下に延びるものであり、スライド部材が、その上端部において肘当てを支持するものであれば、本発明の効果をより顕著にすることができる。
中空パイプ状にした一方の部材の断面形状が正方形状をなすものであれば、例えば、伝達アームの保持等が行いやすいうえ、円形のものに比べ、有効にその内周スペースを活用できるので、コンパクト化を促進できる。また、この一方の部材に、例えば肘当てを水平旋回可能に支持させた場合などに、構造的に有利なものとなる。
【図面の簡単な説明】
【図１】本発明の一実施例における椅子を示す概略全体斜視図。
【図２】同実施例における肘掛けを示す側面図。
【図３】同実施例におけるスライド支持装置の概略分解斜視図。
【図４】同実施例におけるスライド支持装置の作動を説明するための概略側断面図。
【図５】同実施例におけるスライド支持装置の作動を説明するための概略側断面図。
【図６】本発明の第１変形例を示す部分斜視図。
【図７】本発明の第２変形例を示すスライド部材及びスペーサ部材の横断面図。
【符号の説明】
１…支持部材
１１…嵌合穴
２…スライド部材
２ｂ…面接触する対向面
３…保持手段
３１…爪部
３２…凹部
４…操作部（操作ボタン）
６…抜け止め手段
６ａ…規制面
７…回動支軸（ピン）
８…伝達アーム
９…スペーサ部材
９ｂ…面接触する対向面
９１、９２…半割体
９２２…切り欠き
Ｄ…所定方向
Ｐ…突出位置
Ｑ…没入位置
１０６…肘当て
【図１】
0003745570.tif 000002
【図２】
0003745570.tif 000003
【図３】
0003745570.tif 000004
【図４】
0003745570.tif 000005
【図５】
0003745570.tif 000006
【図６】
0003745570.tif 000007
【図７】
0003745570.tif 000008